【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
既存建造物を補強する方法であって、
該方法は、
既存の基礎を囲繞および補強するリング基礎を建設する工程と、
補強壁パネルアセンブリを既存の壁構造物に固定する工程であって、前記壁パネルアセンブリは、前記既存の壁構造物の垂直部材の外側にあって、該垂直部材に固定され、前記リング基礎によって支持される、補強壁パネルアセンブリを既存の壁構造物に固定する工程と、
補強床アセンブリを形成するプラットフォーム部分を前記補強壁パネルアセンブリの垂直構造要素に固定する工程であって、前記プラットフォーム部分は、前記プラットフォーム部分の組み立ておよび前記プラットフォーム部分の前記補強壁パネルアセンブリへの取り付けの間に、既存の床構造物により支持される、補強床アセンブリを形成するプラットフォーム部分を前記補強壁パネルアセンブリの垂直構造要素に固定する工程と、
前記既存の床構造物を撤去する工程と
を備える方法。
【請求項２】
請求項１に記載の、既存建造物を補強する方法であって、
さらに、
既存の屋根構造要素を補強屋根構造要素と置換する工程を備える方法。
【請求項３】
請求項１または請求項２に記載の、既存建造物を補強する方法であって、
壁パネルアセンブリは、
一対の平行な垂直弦材であって、水平に離間され、且つ前記壁パネルアセンブリの上部および底部に配置された少なくとも上部母屋桁および下部母屋桁によって連結された、一対の平行な垂直弦材と、
各垂直弦材と関連して、前記壁パネルアセンブリの前記垂直弦材を前記既存の壁構造物における対応する垂直構造部材に取り付けるための、少なくとも上部壁ブラケットおよび下部壁ブラケットと
を備え、
各弦材は、
中央穴を囲繞する４つの主壁により画定された四角形の断面を有し、且つ４つの内側主面と４つの外側主面とを有する長尺な本体と、
各外側主面に沿って延在し、且つ各外側主面の中央に位置するＴ形溝構造物であって、各Ｔ形溝構造物は、ボルト型締め具を受け入れるように構成された内側Ｔ形溝を有し、各Ｔ形溝は、軸溝であって、前記Ｔ形溝構造物の外面から内側に延在し、且つ軸溝の内側端において前記軸溝に対して直角に延在する交差溝と連結する軸溝を含む、Ｔ形溝構造物と
を含み、
弦材の各Ｔ形溝構造物は、弦材の外側主面から外方向に平行に延在する２つの平行な溝側壁と、前記溝側壁の外端から内側方向に前記外側主面に平行に延在する２つの溝正面壁とにより画定され、
前記ボルト型締め具は、六角ボルトとＴ形ボルトとのうちの少なくとも１つを含み、
Ｔ形ボルトは、交差溝の幅よりも長く、軸溝の幅よりも狭い矩形頭部を有することで、Ｔ形ボルトの前記頭部が、前記Ｔ形ボルトの前記頭部がＴ形溝の長手方向軸と整合されるときに、前記軸溝を通過して前記Ｔ形溝の前記交差溝内に収容されることが可能であり、前記頭部が前記Ｔ形溝の前記長手方向軸に対して横向きに回転されるときに、前記交差溝内に保持されることになり、
各Ｔ形溝の少なくとも１つの内面は、Ｔ形ボルトを介してかかる張力およびねじり力に起因する圧縮力を支持する支持面であり、各交差溝の最内面により画定される各平面は、前記弦材の対応する外側主壁面に対して内側にオフセットされることにより、各交差溝の前記内面により画定される平面と前記弦材の対応する外側主面との間に、増大された対角主壁厚を形成する
ことを特徴とする方法。
【請求項４】
請求項３に記載の、既存建造物を補強する方法であって、
各母屋桁は、
単一梁要素であって、単一弦材と単一形成ストリップとのうちの１つで形成され、前記単一梁要素の各端部に配置される形成ストリップで形成される連結要素を有する、単一梁要素を含み、
各形成ストリップは、
複数のストリップ部分に形成される単一の長尺なストリップ板であって、各ストリップ部分は、隣接するストリップ部分に対して直角に配向され、前記ストリップ部分は、２つの隣接する主壁とＴ形溝構造物の隣接する側壁とにより形成される、対応する弦材支持面と係合する支持面を形成するＷ形状断面を形成する角領域と、前記Ｔ形溝構造物の外向き面によって形成された弦材支持面と係合する支持面を形成する面領域と、前記形成ストリップを強化するために前記面領域の端部から外方向に延在する取付領域とを連続して含む領域に形成される、単一の長尺なストリップ板を含む
ことを特徴とする方法。
【請求項５】
請求項３または請求項４に記載の、既存建造物を補強する方法であって、
各壁ブラケットは、
水平配向されたスペーサ要素であって、
第１の端部に、前記壁ブラケットアセンブリの垂直弦材に取り付けるための、垂直配向された形成ストリップと、
前記スペーサ要素の第２の端部に、前記既存の壁構造物の垂直な垂直材に取り付けるための、Ｕ形状のスタブブラケットと
を有する水平配向されたスペーサ要素を含み、
各形成ストリップは、
複数のストリップ部分に形成された単一の長尺なストリップ板であって、各ストリップ部分は、隣接するストリップ部分に対して直角に配向され、前記ストリップ部分は、２つの隣接する主壁とＴ形溝構造物の隣接する側壁とにより形成される対応する弦材支持面と係合する支持面を形成するＷ形状の断面を形成する角領域と、前記Ｔ形溝構造物の外向き面によって形成された弦材支持面と係合する支持面を形成する面領域と、前記形成ストリップを強化するために、前記面領域の端部から外方向に延在する取付領域とを連続して含む領域に形成される、単一の長尺なストリップ板を含む
ことを特徴とする方法。
【請求項６】
請求項１〜５のいずれか１項に記載の、既存建造物を補強する方法であって、
プラットフォーム部分は、
弦材と母屋桁とのうちの少なくとも１つで形成される水平配向された平行な主要素の上方および下方の対であって、主要素の各上方および下方の対における前記主要素は、水平に離間され、前記主要素間で前記主要素に対して横方向に延在する水平連結要素により連結され、各上方主要素は、対応する下方主要素から垂直方向に離間され、前記上方および下方の主要素間で前記上方および下方の主要素に対して横方向に延在する垂直連結要素により、対応する下方主要素に接続された、主要素の上方および下方の対を備え、
前記主要素と、前記水平連結要素および前記垂直連結要素とは、母屋桁と弦材とのうちの少なくとも１つで形成され、
各弦材は、
中央穴を囲繞する４つの主壁により画定された四角形の断面を有し、且つ４つの内側主面と４つの外側主面とを有する長尺な本体と、
各外側主面に沿って延在し、且つ各外側主面の中央に位置するＴ形溝構造物であって、各Ｔ形溝構造物は、ボルト型締め具を受け入れるように構成された内側Ｔ形溝を有し、各Ｔ形溝は、軸溝であって、前記Ｔ形溝構造物の外面から内側に延在し、且つ軸溝の内側端において前記軸溝に対して直角に延在する交差溝と連結する軸溝を含む、Ｔ形溝構造物と
を含み、
弦材の各Ｔ形溝構造物は、弦材の外側主面から外方向に平行に延在する２つの平行な溝側壁と、前記溝側壁の外端から内側方向に前記外側主面に平行に延在する２つの溝正面壁とにより画定され、
前記ボルト型締め具は、六角ボルトとＴ形ボルトとのうちの少なくとも１つを含み、
Ｔ形ボルトは、交差溝の幅よりも長く、軸溝の幅よりも狭い矩形頭部を有することで、Ｔ形ボルトの前記頭部が、該Ｔ形ボルトの該頭部が前記Ｔ形溝の長手方向軸と整合されるときに、前記軸溝を通過してＴ形溝の前記交差溝内に収容されることが可能であり、前記頭部が前記Ｔ形溝の前記長手方向軸に対して横向きに回転されるときに、前記交差溝内に保持されることになり、
各Ｔ形溝の少なくとも１つの内面は、Ｔ形ボルトを介してかかる張力およびねじり力に起因する圧縮力を支持する支持面であり、各交差溝の最内面により画定される各平面が、前記弦材の対応する外側主壁面に対して内側にオフセットされることにより、各交差溝の前記内面により画定される平面と前記弦材の対応する外側主面との間に、増大された対角主壁厚を形成し、
各母屋桁は、
単一梁要素であって、単一弦材と単一形成ストリップとのうちの１つで形成され、前記単一梁要素の各端部に配置される形成ストリップで形成される連結要素を有する、単一梁要素を含み、
各形成ストリップは、
複数のストリップ部分に形成される単一の長尺なストリップ板であって、各ストリップ部分は、隣接するストリップ部分に対して直角に配向され、前記ストリップ部分は、２つの隣接する主壁とＴ形溝構造物の隣接する側壁とにより形成される、対応する弦材支持面と係合する支持面を形成するＷ形状断面を形成する角領域と、前記Ｔ形溝構造物の外向き面によって形成された弦材支持面と係合する支持面を形成する面領域と、前記形成ストリップを強化するために前記面領域の端部から外方向に延在する取付領域とを連続して含む領域に形成される、単一の長尺なストリップ板を含む
ことを特徴とする方法。
【請求項７】
既存建造物を補強するシステムであって、
前記システムは、複数種類のモジュール式構造補強構成要素を含み、
各構造補強構成要素は、
既存の基礎を囲繞および補強するリング基礎と、
既存の壁構造物に固定される補強壁パネルアセンブリであって、前記壁パネルアセンブリは、前記既存の壁構造物の垂直部材の外側に固定され、且つ前記リング基礎によって支持される、補強壁パネルアセンブリと、
補強された床アセンブリを形成する補強プラットフォーム部分であって、前記プラットフォーム部分は、前記補強壁パネルアセンブリの垂直構造要素に固定されて補強床アセンブリを形成し、前記プラットフォーム部分は、前記プラットフォーム部分の組み立て、お
よび前記プラットフォーム部分の前記補強壁パネルアセンブリへの取り付け中に、既存の床構造物により支持され、前記既存の床構造物は、前記プラットフォーム部分の前記補強壁パネルアセンブリへの取り付け後に撤去される、補強プラットフォーム部分と
を備えるシステム。
【請求項８】
請求項７に記載の、既存建造物を補強するシステムであって、さらに、
既存の屋根構造要素を置換するための補強屋根構造要素を備えるシステム。
【請求項９】
請求項７または請求項８に記載の、既存建造物を補強するシステムであって、
壁パネルアセンブリは、
水平に離間され、且つ前記壁パネルアセンブリの上部および底部に配置された少なくとも上方および下方の母屋桁によって連結された一対の平行な垂直弦材と、
各垂直弦材と関連して、前記壁パネルアセンブリの前記垂直弦材を前記既存の壁構造物の対応する垂直構造部材に取り付けるための、少なくとも上方および下方の壁ブラケットと
を備え、
各弦材は、
中央穴を囲繞する４つの主壁により画定された四角形の断面を有し、且つ４つの内側主面と４つの外側主面とを有する長尺な本体と、
各外側主面に沿って延在し、且つ各外側主面の中央に位置するＴ形溝構造物であって、各Ｔ形溝構造物は、ボルト型締め具を受け入れるように構成された内側Ｔ形溝を有し、各Ｔ形溝は、軸溝であって、前記Ｔ形溝構造物の外面から内側に延在し、且つ軸溝の内側端において前記軸溝に対して直角に延在する交差溝と連結する軸溝を含む、Ｔ形溝構造物と
を含み、
弦材の各Ｔ形溝構造物は、弦材の外側主面から外方向に平行に延在する２つの平行な溝側壁と、前記溝側壁の外端から内側方向に前記外側主面に平行に延在する２つの溝正面壁とにより画定され、
前記ボルト型締め具は、六角ボルトとＴ形ボルトとのうちの少なくとも１つを含み、
Ｔ形ボルトは、交差溝の幅よりも長く、軸溝の幅よりも狭い矩形頭部を有することで、Ｔ形ボルトの前記頭部が、該Ｔ形ボルトの該頭部が前記Ｔ形溝の長手方向軸と整合されるときに、前記軸溝を通過してＴ形溝の前記交差溝内に収容されることが可能であり、前記頭部が前記Ｔ形溝の前記長手方向軸に対して横向きに回転されるときに、前記交差溝内に保持されることになり、
各Ｔ形溝の少なくとも１つの内面は、Ｔ形ボルトを介してかかる張力およびねじり力に起因する圧縮力を支持する支持面であり、各交差溝の最内面により画定される各平面が、前記弦材の対応する外側主壁面に対して内側にオフセットされることにより、各交差溝の前記内面により画定される平面と前記弦材の対応する外側主面との間に、増大された対角主壁厚を形成する
ことを特徴とするシステム。
【請求項１０】
請求項９に記載の、既存建造物を補強するシステムであって、
各母屋桁は、
単一梁要素であって、単一弦材と単一形成ストリップとのうちの１つで形成され、前記単一梁要素の各端部に配置される形成ストリップで形成される連結要素を有する、単一梁要素を含み、
各形成ストリップは、
複数のストリップ部分に形成される単一の長尺なストリップ板であって、各ストリップ部分は、隣接するストリップ部分に対して直角に配向され、前記ストリップ部分は、２つの隣接する主壁とＴ形溝構造物の隣接する側壁とにより形成される、対応する弦材支持面と係合する支持面を形成するＷ形状断面を形成する角領域と、前記Ｔ形溝構造物の外向き面によって形成される弦材支持面と係合する支持面を形成する面領域と、前記形成ストリップを強化するために前記面領域の端部から外方向に延在する取付領域とを連続して含む領域に形成される、単一の長尺なストリップ板を含む
ことを特徴とするシステム。
【請求項１１】
請求項９または請求項１０に記載の、既存建造物を補強するシステムであって、
各壁ブラケットは、
水平配向されたスペーサ要素であって、
第１の端部に、前記壁ブラケットアセンブリの垂直弦材に取り付けるための、垂直配向された形成ストリップと、
前記スペーサ要素の第２の端部に、前記既存の壁構造物の垂直な垂直材に取り付けるための、Ｕ形状のスタブブラケットと
を有する水平配向されたスペーサ要素を含み、
各形成ストリップは、
複数のストリップ部分に形成された単一の長尺なストリップ板であって、各ストリップ部分は、隣接するストリップ部分に対して直角に配向され、前記ストリップ部分は、２つの隣接する主壁とＴ形溝構造物の隣接する側壁とにより形成される対応する弦材支持面と係合する支持面を形成するＷ形状の断面を形成する角領域と、前記Ｔ形溝構造物の外向き面によって形成された弦材支持面と係合する支持面を形成する面領域と、前記形成ストリップを強化するために、前記面領域の端部から外方向に延在する取付領域とを連続して含む領域に形成される、単一の長尺なストリップ板を含む
ことを特徴とするシステム。
【請求項１２】
請求項７〜１１のいずれか１項に記載の、既存建造物を補強するシステムであって、
プラットフォーム部分は、
弦材と母屋桁とのうちの少なくとも１つで形成される水平配向された平行な主要素の上方および下方の対であって、主要素の各上方および下方の対における前記主要素は、水平に離間され、且つ前記主要素間で前記主要素に対して横方向に延在する水平連結要素により連結され、各上方主要素は、前記上方および下方の主要素間で前記上方および下方の主要素に対して横方向に延在する垂直連結要素により、対応する下方主要素から垂直方向に離間および接続された、主要素の上方及び下方の対を備え、
前記主要素と、前記水平連結要素および前記垂直連結要素とは、母屋桁と弦材とのうちの少なくとも１つで形成され、
各弦材は、
中央穴を囲繞する４つの主壁により画定された四角形の断面を有し、且つ４つの内側主面と４つの外側主面とを有する長尺な本体と、
各外側主面に沿って延在し、且つ各外側主面の中央に位置するＴ形溝構造物であって、各Ｔ形溝構造物は、ボルト型締め具を受け入れるように構成された内側Ｔ形溝を有し、各Ｔ形溝は、軸溝であって、前記Ｔ形溝構造物の外面から内側に延在し、且つ軸溝の内側端において前記軸溝に対して直角に延在する交差溝と連結する軸溝を含む、Ｔ形溝構造物と
を含み、
弦材の各Ｔ形溝構造物は、弦材の外側主面から外方向に平行に延在する２つの平行な溝側壁と、前記溝側壁の外端から内側方向に前記外側主面に平行に延在する２つの溝正面壁とにより画定され、
前記ボルト型締め具は、六角ボルトとＴ形ボルトとのうちの少なくとも１つを含み、
Ｔ形ボルトは、交差溝の幅よりも長く、軸溝の幅よりも狭い矩形頭部を有することで、Ｔ形ボルトの前記頭部が、該Ｔ形ボルトの該頭部が前記Ｔ形溝の長手方向軸と整合されるときに、前記軸溝を通過してＴ形溝の前記交差溝内に収容されることが可能であり、前記頭部が前記Ｔ形溝の前記長手方向軸に対して横向きに回転されるときに、前記交差溝内に保持されることになり、
各Ｔ形溝の少なくとも１つの内面は、Ｔ形ボルトを介してかかる張力およびねじり力に起因する圧縮力を支持する支持面であり、各交差溝の最内面により画定される各平面が、前記弦材の対応する外側主壁面に対して内側にオフセットされることにより、各交差溝の前記内面により画定される平面と前記弦材の対応する外側主面との間に、増大された対角主壁厚を形成し、
各母屋桁は、
単一梁要素であって、単一弦材と単一形成ストリップとのうちの１つで形成され、前記単一梁要素の各端部に配置される形成ストリップで形成される連結要素を有する、単一梁要素を含み、
各形成ストリップは、
複数のストリップ部分に形成される単一の長尺なストリップ板であって、各ストリップ部分は、隣接するストリップ部分に対して直角に配向され、前記ストリップ部分は、２つの隣接する主壁とＴ形溝構造物の隣接する側壁とにより形成される、対応する弦材支持面と係合する支持面を形成するＷ形状断面を形成する角領域と、前記Ｔ形溝構造物の外向き面によって形成された弦材支持面と係合する支持面を形成する面領域と、前記形成ストリップを強化するために前記面領域の端部から外方向に延在する取付領域とを連続して含む領域に形成される、単一の長尺なストリップ板を含む
ことを特徴とするシステム。